(57)【特許請求の範囲】
【請求項１】
外部信号受渡用接続部を備えた外部インターフェースコネクターを構成する角筒状のケース上表面に、収納するメモリーカードのデータ入出力端子が接続される接続部を備えた角筒状のメモリーカード収納ケースを一体に設け、携帯電話機に装着した電池パックの電源端子が接触する電源供給用のバッテリー接続端子を前記メモリーカード収納ケース上表面に設け、該メモリーカード収納ケースに、メモリーカードを、前記外部インターフェースコネクターを構成する角筒状のケース上に位置するように収納することを特徴とする携帯電話機の複合コネクター構造。
【請求項２】
メモリーカード収納ケース内に、メモリーカードがメモリーカード収納ケース内に収納されたことを検知するための接触子構造と、収納されたことを検知されたメモリーカードに給電を行うための接続部を設けた請求項１に記載の携帯電話機の複合コネクター構造。
【請求項３】
前記接触子構造が、メモリーカードによりオンされて、前記接触子構造から携帯電話機の電源回路部に給電を行なうためのバッテリー電源回路供給スイッチである請求項２に記載の携帯電話機の複合コネクター構造。
【発明の詳細な説明】
【０００１】
【発明の属する技術分野】
本発明は、携帯電話機の複合コネクター構造に関し、詳しくは外部インターフェースコネクターにメモリーカードの収納部を設けることにより携帯電話機の小型化、構造の簡略化を図った複合コネクター構造に関するものである。
【０００２】
【従来の技術】
携帯電話機には、パソコンやファクシミリ等の外部機器を外部信号受渡用接続部を介して当該携帯電話機に接続する外部インターフェースコネクターを備えると共に、カード自体の識別番号であるシリアル番号メモリ、電話所有者の電話番号メモリ、短縮番号メモリ、ワンタッチダイヤル番号メモリ等を記憶したメモリーカードを装着し得るようにしたものがある。
【０００３】
而して、斯かる携帯電話機に用いる従来の外部インターフェースコネクターの一例は図１２に示されており、図中、１は外部インターフェースコネクター、２，３はパソコンやファクシミリ等の外部機器を接続する端子（外部信号受渡用接続部）、４は回路基板に半田付けにより固定される端子である。
【０００４】
又、携帯電話機に装着されたメモリーカードのデータ入出力端子に電源を供給するためにはメモリーカードコネクターが使用されるが、従来のメモリーカードコネクターの一例は図１３に示されている。
【０００５】
図１３中、５はメモリーカードコネクター、６，７は先端部６ａ，７ａをメモリーカードのデータ入出力端子に接触され、後端部６ｂ，７ｂを回路基板に半田付けにより固定される端子である。
【０００６】
図１２に示す外部インターフェースコネクター１及び図１３に示すメモリーカードコネクター５を具備せる従来の携帯電話機の一例は図１４に示されている。
【０００７】
すなわち、図１４に示す携帯電話機８においては、外部インターフェースコネクター１は、電池パックを装着するための凹部９の携帯電話機本体１０とは反対側の端部に、端子４が携帯電話機本体１０側へ向き端子２，３が携帯電話機本体１０の反対側（外側）へ向くよう装着されるようになっており、外部インターフェースコネクター１の端子２，３側は防塵用蓋１１により遮蔽し得るようになっている。
【０００８】
又、図１４に示す携帯電話機８においては、メモリーカードコネクター５は、凹部９の基板１２面に形成した嵌入孔１３に端子６，７（図１３参照）の長手方向が携帯電話機８の幅方向へ向くよう収納されており、嵌入孔１３には、メモリーカードコネクター５の上面に位置して端子６，７に接触するメモリーカード１４を嵌入し得るようになっている。
【０００９】
更に、嵌入孔１３に嵌入されたメモリーカード１４の上面は、防塵キャップ１５により遮蔽し得るようになっている。
【００１０】
図１２に示す外部インターフェースコネクター１及び図１３に示すメモリーカードコネクター５を具備せる従来の携帯電話機の他の例は図１５に示されている。
【００１１】
すなわち、図１５に示す携帯電話機８においては、外部インターフェースコネクター１は、図１４の場合と同様にして凹部９の携帯電話機本体１０とは反対側の端部に装着されている。
【００１２】
又、図１５に示す携帯電話機８においては、メモリーカードコネクター５は、携帯電話機本体１０のケース上面に凹部９と近接して形成した嵌入孔１６に端子６，７の長手方向が携帯電話機８の長手方向へ向くよう収納されており、嵌入孔１６には、メモリーカードコネクター５の上面に位置して端子６，７に接触するメモリーカード１４を嵌入し得るようになっている。
【００１３】
更に、嵌入孔１６に嵌入されたメモリーカード１４の上面は、防塵用蓋１７により遮蔽し得るようになっている。
【００１４】
図１４、１５に示す携帯電話機８の回路構成の一例は図１６に示され、図中、１８は音声部、１９は無線部、２０は制御部、２１は表示部、２２は操作部、２３はスピーカ、２４はマイク、２５はアンテナ、２６は電源回路、２７は外部電源端子、２８はバッテリーである。
【００１５】
一般にバッテリー２８は電池パックとして携帯電話機の凹部（図１４、１５の凹部９）に着脱自在に装着し得るようになっている。又、電池パックは携帯電話機に電源を供給するための電源端子（図示せず）と外部電源端子２７を具備しており、外部電源端子２７は電池パックの充電用に使用されるようになっている。
【００１６】
而して、制御部２０と外部インターフェースコネクター１、メモリーカードコネクター５、音声部１８、無線部１９とは互いに信号の授受を行い得るようになっており、又操作部２２から制御部２０へ信号を与え得るようになっており、制御部２０から表示部２１へ信号を与え得るようになっている。更に、音声部１８と無線部１９との間でも互に信号を授受し得るようになっている。
【００１７】
メモリーカード１４の装着時及び携帯電話機８の電源をオンにする際並に操作時等には、メモリーカード１４に記憶されているデータは制御部２０を介して各部へ送信され、制御部２０へ与えられたデータはメモリーカードコネクター５を介してメモリーカード１４へ送られ、適宜記憶される。
【００１８】
【発明が解決しようとする課題】
従来の携帯電話機では
ｉ）外部インターフェースコネクター１とメモリーカードコネクター５は夫々別個の単独の部品であり、メモリーカードコネクター５及びメモリーカード１４は基板１２に形成した嵌入孔１３或いは携帯電話機本体１０のケースに設けた嵌入孔１６に嵌入するようにしているため、メモリーカード収納部の実装面積が広くなり、製品の小型化を図ることが困難である、
ｉｉ）メモリーカード１４を挿抜するための独自の嵌入孔１３，１６を設けているため、防塵や防滴のために防塵キャップ１５或いは防塵用蓋１７が必要となり、従って部品点数の増加、構造の複雑化を招来する虞れがある、
ｉｉｉ）通電状態でメモリーカード１４を嵌入孔１３，１６から取外すとメモリーカード１４に記憶されているデータに異常が生じる恐れがあるため、例えば図１４に示すごとくバッテリー２８が外されない限りメモリーカード１４を嵌入孔１３から取外すことのできない構造にする必要があり、この点からも携帯電話機８の構造が複雑化する虞れがある、
等の問題がある。
【００１９】
本発明は、上述の実情に鑑み、メモリーカードコネクター及びメモリーカードの実装面積を小さくして製品の小型化を図り得るようにすると共に部品点数を少くし、しかも構造を簡略化し得るようにした、携帯電話機における複合コネクター構造を提供することを目的としてなしたものである。
【００２０】
【課題を解決するための手段】
本発明の携帯電話機の複合コネクター構造は、外部信号受渡用接続部を備えた外部インターフェースコネクターを構成する角筒状のケース上表面に、収納するメモリーカードのデータ入出力端子が接続される接続部を備えた角筒状のメモリーカード収納ケースを一体に設け、携帯電話機に装着した電池パックの電源端子が接触する電源供給用のバッテリー接続端子を前記メモリーカード収納ケース上表面に設け、該メモリーカード収納ケースに、メモリーカードを、前記外部インターフェースコネクターを構成する角筒状のケース上に位置するように収納するものである。
【００２１】
又本発明では、メモリーカード収納ケース内に、メモリーカードがメモリーカード収納ケース内に収納されたことを検知するための接触子構造と、収納されたことを検知されたメモリーカードに給電を行うための接続部を設けることができる。
【００２２】
更に本発明では、前記接触子構造が、メモリーカードによりオンされて、前記接触子構造から携帯電話機の電源回路部に給電を行なうためのバッテリー電源回路供給スイッチとすることができる。
【００２３】
【００２４】
本発明の複合コネクター構造を携帯電話機に装着した場合には、メモリーカードをメモリーカード収納部に挿入してメモリーカードが接触子構造を作動させることにより携帯電話機の使用が可能となる。
【００２５】
接触子構造がメモリーカードによりオフにされるメモリーカード挿入検出スイッチの場合にはメモリーカード挿入検出スイッチがオフになることにより携帯電話機の使用が可能となり、接触子構造がメモリーカードによりオンにされるバッテリー電源回路供給スイッチである場合には、バッテリー電源回路供給スイッチがオンになることにより携帯電話機の使用が可能となる。
【００２６】
本発明においては、外部インターフェースコネクター上に接触子構造や接続部を備えたメモリーカード収納部を設けているため、携帯電話機内でのメモリーカード収納部の実装面積が小さくなり、従って製品の小型化を図ることができる。
【００２７】
又、余分な蓋類を減少させることができ、部品点数の減少、構造の簡略化を図ることができる。
【００２８】
更に、電池パックを取外さなくともメモリーカードの脱着を行うことができるため、この点からも構造の簡略化を図ることができる。
【００２９】
更に又、メモリーカード収納部に電源供給用のバッテリー接続端子を設けると、より一層携帯電話機の性能の向上を図ることができる。
【００３０】
【発明の実施の形態】
以下、本発明の実施の形態を添付図面を参照しつつ説明する。
【００３１】
図１〜４は本発明の実施の形態の第１例であり、図１〜４中、２９は複合コネクターである。而して、複合コネクター２９は、従来と同様の構造の外部インターフェースコネクター１を備えており、外部のインターフェースコネクター１の端子２，３，４を収納する短角筒状のケース３０の上部には、メモリーカード１４を挿入、収納するための薄短角筒状のメモリーカード収納用のケース３１がケース３０と一体的に形成されている。又ケース３０，３１は何れも前後方向（メモリーカード１４の挿入、取出し方向）へ貫通した形状となっている。
【００３２】
ケース３１の幅方向一端側には、図１、２、４に示すごとく、ケース３０，３１貫通方向へ延び且つメモリーカードコネクターとして機能する端子（接続部）３２，３３がケース３１貫通方向へ対向して複数対設けられている。
【００３３】
又ケース３１幅方向他端側には、図１、２、３に示すごとくケース３０，３１貫通方向へ延び且つメモリーカードがケース３１内へ挿入され或いは抜取られたことを確認するスイッチとして機能するメモリーカード挿入検出スイッチ（接触子構造）３４の接触子片３５，３６がケース３１貫通方向へ対向して設けられている。
【００３４】
而して、メモリーカード１４をケース３１内へ挿入した際には、メモリーカード１４のデータ入出力端子は端子３２，３３へ接触し、メモリーカード１４へ給電を行い得るようになっている。
【００３５】
又、メモリーカード１４をケース３１内へ挿入しない場合は、メモリーカード挿入検出スイッチ３４の接触子片３５，３６は互に接触しているが、メモリーカード１４をケース３１内へ挿入すると、メモリーカード１４に押圧されて接触子片３５は接触子片３６から離れてメモリーカード挿入検出スイッチ３４はオフになるようになっており、メモリーカード挿入検出スイッチ３４がオフになることにより、メモリーカード１４がケース３１内へ挿入されたことを確認し得るようになっている。
【００３６】
なお、図１〜４中、３７はケース３１上面のメモリーカード挿入口３１ａとは反対側の幅方向中央部近傍に設けられたメモリーカード取出し用切欠き、３８はケース３０の端子２，３側及びケース３１のメモリーカード挿入口３１ａとなる側を同時に覆う防塵用蓋である。
【００３７】
上述の複合コネクター２９を装備した携帯電話機８の一例は図５に示されており、複合コネクター２９は、電池パックを装着する凹部９の携帯電話機本体１０とは反対側の端部に、端子４が携帯電話機本体１０側へ向き端子２，３が携帯電話機本体１０とは反対側へ向き、ケース３１のメモリーカード取出し用切欠き３７が携帯電話機本体１０側へ向き、メモリーカード挿入口３１ａが携帯電話機本体１０とは反対側へ向くよう、装着されるようになっている。
【００３８】
図５に示す携帯電話機８の回路構成の一例は図６に示され、図６中、図１６に示すものと同一のものには同一の符号が付してある。
【００３９】
又、端子３２，３３及びメモリーカード挿入検出スイッチ３４の接触子片３５，３６は制御部２０に対して電気的に接続し得るようになっている。
【００４０】
なお、本実施の形態例においてメモリーカード１４にデータ入出力端子を設ける範囲は、メモリーカード１４がケース３１内を移動してメモリーカード挿入検出スイッチ３４をオフにする前に前記データ入出力端子がケース３１内の端子３２，３３に対し接触し、メモリーカード１４がメモリーカード挿入検出スイッチ３４をオフにした際にも、前記データ入出力端子が端子３２，３３に対し接触している範囲とする。このように構成するのは、電池パックの装着時に電源がオンの状態で仮にメモリーカード１４がメモリーカード挿入口３１ａからケース３１外へ抜出されるような事態が生じても、メモリーカード１４のデータにエラー等の異常が生じることがないようにするためである。
【００４１】
メモリーカード１４をメモリーカード挿入口３１ａからケース３１内へ挿入すると、メモリーカード１４のデータ入出力端子がケース３１内の端子３２，３３へ接触するが、メモリーカード挿入検出スイッチ３４の接触子片３５，３６は互に接触しているため、制御部２０から端子３２，３３への通電は行われず、従ってメモリーカード１４への通電も行われない。
【００４２】
更にメモリーカード１４をケース３１内へ挿入すると、図７の仮想線に示すごとくメモリーカード１４の先端がメモリーカード挿入検出スイッチ３４の接触子片３５を下方へ押し下げ、接触子片３５が接触子片３６から離れてメモリーカード挿入検出スイッチ３４がオフになる。
【００４３】
そうすると、バッテリー２８からの電気は、電源回路２６及び制御部２０を介して端子３２，３３へ給電され、端子３２，３３と接触しているメモリーカード１４のデータ入出力端子を介してメモリーカード１４へ給電され、メモリーカード１４に記憶されている電話加入者の識別番号（電話番号）等のデータが制御部２０に読出され、制御部２０はメモリーカード１４が所定の状態に装着されて携帯電話機８を使用できることを確認し、携帯電話機８を使用可能（ダイヤル入力の受付け、着信の受付け、発呼動作等）に制御する。
【００４４】
メモリーカード１４をケース３１から抜く場合には、電池パック（バッテリー２８）を外して電源をオフにし、メモリーカード取出し用切欠き３７の部分からメモリーカード１４を外側へ押出すようにする。この時、電池パックを外さずに通電状態でメモリーカード１４が故意に引抜かれたような場合でも、メモリーカード１４が或る程度移動するまでは、メモリーカード１４の移動の際にメモリーカード挿入検出スイッチ３４はオフになっており、制御部２０から端子３２，３３への給電は行われているが、端子３２，３３はメモリーカード１４のデータ入出力端子と接触しているため、メモリーカード１４を取出し方向へ移動させてもメモリーカード１４のデータに異常が生じることはない。
【００４５】
なおもメモリーカード１４を取出し方向へ移動させるとメモリーカード１４は接触子片３５から離れ、接触子片３５は接触子片３６と接触してメモリーカード挿入検出スイッチ３４がオンになり、制御部２０からの端子３２，３３側への給電が停止される。而して、この場合、端子３２，３３がメモリーカード１４のデータ入出力端子と接触した状態で、メモリーカード１４への給電が停止される。
【００４６】
従って、更にメモリーカード１４を取出し側へ移動させることにより、メモリーカード１４のデータ入出力端子が３２，３３から離れる際には、メモリーカード１４への給電は行われておらず、メモリーカード１４をケース３１から抜取ってもメモリーカード１４のデータに異常が生じることはない。
【００４７】
又、本実施の形態例においては、メモリーカード１４のデータ入出力端子と接触する端子３２，３３を外部インターフェースコネクター１の上面に設けたケース３１内に設け、メモリーカード１４をケース３１内に収納するようにしているため、メモリーカードとして機能する端子３２，３３及びメモリーカード１４のための実装面積が小さくなり、従って製品の小型化を図ることができる。
【００４８】
又、防塵用蓋３８は外部インターフェースコネクター１とメモリーカード挿入口３１ａを同時に覆うことができるため、余分な蓋が不要となり、従って構造が簡略化されると共に部品点数も少くできる。
【００４９】
更に電池パック（バッテリー２８）を外さなくてもメモリーカード１４のケース３１に対する脱着を行うことができるためこの点からも構造の簡略化を図ることができる。
【００５０】
図８は本発明の実施の形態における複合コネクター２９の第２例であり、本実施の形態例においては、複合コネクター２９のケース３１に形成するメモリーカード挿入口３１ａを携帯電話機８の幅方向一端側、すなわち外部インターフェースコネクター１の幅方向一端側に設け、メモリーカード１４を携帯電話機８の幅方向へ挿入し或いは抜出すことによりケース３１に対し脱着し得るようにしたものである。
【００５１】
なお、図中、３９はメモリーカード１４を収納するケースの上部に形成したメモリーカード取出し用切欠き、４０はメモリーカード挿入口３１ａ及び外部インターフェースコネクター１を同時に覆う防塵用蓋であり、該防塵用蓋４０の平面形状は略Ｌ字状に形成されている。
【００５２】
図８に示す携帯電話機８の回路は図６に示すものと同様の構成で良い。
【００５３】
本実施の形態例においても、図１〜５に示すものと同様、メモリーカード１４等の実装面積を小さくして製品の小型化を図ることができ、余分な蓋が不要となるため部品点数が削減されると共に構造が簡略化され、バッテリーを外さなくてもメモリーカード１４の脱着を行うことができるためこの点からも構造の簡略化を図ることができる。
【００５４】
【００５５】
【００５６】
図９は本発明の実施の形態における複合コネクター２９の第３例であり、本実施の形態例においては、図１に示すと略同様の構造の複合コネクター２９におけるケース３１上表面幅方向両側に複数対の電源供給用のバッテリー接続端子４３を設けている。複合コネクター２９のバッテリー接続端子４３は、携帯電話機のケース上面の凹部（図５、８の符号９の部位に相当する凹部）に露呈し、この凹部に装着する電池パックの電源端子がバッテリー接続端子４３に接触し得るようになっている。
【００５７】
又、本実施の形態例においては、図１０に示すごとく、ケース３１内に挿入されたメモリーカード１４により押圧されて接触子片４４が下降し接触子片４５に接触することによりオンになるバッテリー電源回路供給スイッチ４６がケース３１内に収納されている。
【００５８】
本実施の形態例の複合コネクター２９を用いた携帯電話機の回路の一例は図１１に示され、図１、図６に示すものと同一のものには同一の符号が付してある。而して、本実施の形態例においては、バッテリー電源回路供給スイッチ４６がオンになると電池パック（バッテリー２８）から当該バッテリー電源回路供給スイッチ４６及び電源回路２６を経て各部へ給電を行い得るようになっている。
【００５９】
なお、本実施の形態例においてメモリーカード１４にデータ入出力端子を設ける範囲は、バッテリー電源回路供給スイッチ４６がオンになる直前にメモリーカード１４のデータ入出力端子が、端子３２，３３に対し接触し、バッテリー電源回路供給スイッチ４６がオンになった場合にもメモリーカード１４のデータ入出力端子が端子３２，３３に対し接触している範囲とする。
【００６０】
メモリーカード１４をメモリーカード挿入口３１ａからケース３１内へ挿入してバッテリー電源回路供給スイッチ４６がオンになると、バッテリー２８からバッテリー電源回路供給スイッチ４６、電源回路２６を経て携帯電話機の各部へ給電が行われる。
【００６１】
又、制御部２０からは端子３２，３３を介してメモリーカード１４へ給電が行われ、メモリーカード１４に記憶されている種々のデータが制御部２０へ読出され、制御部２０はメモリーカード１４が所定の状態に装着され携帯電話機を使用できることを確認し、携帯電話機を使用可能に制御する。
【００６２】
電池パック（バッテリー２８）が装着され通電状態（電源オン状態）にある場合に故意にメモリーカード１４をケース３１から引抜くと、バッテリー電源回路供給スイッチ４６がオフになり、バッテリー２８からの各部への給電は行われなくなる。このため、メモリーカード１４のデータ入出力端子が端子３２，３３に接触した状態でメモリーカード１４への給電が行われなくなるため、その後メモリーカード１４を引抜いてもメモリーカード１４のデータに異常が生じることはない。
【００６３】
本実施の形態例においても、図９に示す複合コネクター２９を用いることにより、携帯電話機の小型化、部品点数の削減、構造の簡略化を図ることができる。
【００６４】
なお、本発明は上述の実施の形態例に限定されるものではなく、本発明の要旨を逸脱しない範囲内で種々変更を加え得ること、等は勿論である。
【００６５】
【発明の効果】
本発明の携帯電話機の複合コネクター構造によれば、メモリーカードコネクターとして機能する接続部やメモリーカードの実装面積を小さくすることにより製品の小型化を図ることができると共に余分な蓋類を省略できて部品点数の低減、構造の簡略化を図ることができ、又、バッテリーを装着したままでメモリーカードの脱着を行うことができるため、この点からも構造の簡略化を図ることができ、更に電源供給用のバッテリー接続端子を設けることにより、より一層携帯電話機の性能向上を図ることができる等種々の優れた効果を奏し得る。
【図面の簡単な説明】
【図１】  本発明の携帯電話機の複合コネクター構造の実施の形態の第１例を示す斜視図である。
【図２】  図１のＩＩ−ＩＩ方向矢視図である。
【図３】  図１のＩＩＩ−ＩＩＩ方向矢視図である。
【図４】  図１のＩＶ−ＩＶ方向矢視図である。
【図５】  図１に示す複合コネクターを装着した状態を示す携帯電話機の斜視図である。
【図６】  図５に示す携帯電話機の回路図である。
【図７】  図１に示す複合コネクターに装着されているメモリーカード挿入検出スイッチの拡大側面図である。
【図８】  本発明の携帯電話機の複合コネクター構造の実施の形態の第２例を示し、複合コネクターを携帯電話機に装着した状態を示す斜視図である。
【図９】  本発明の携帯電話機の複合コネクター構造の実施の形態の第３例を示す斜視図である。
【図１０】  図９に示す複合コネクターに設けられているバッテリー電源回路供給スイッチの拡大側面図である。
【図１１】  図９に示す複合コネクターを用いた携帯電話機の回路図である。
【図１２】  従来の外部インターフェースコネクターの一例を示す斜視図である。
【図１３】  従来のメモリーカードコネクターの一例を示す斜視図である。
【図１４】  図１２に示す外部インターフェースコネクター及び図１３に示すメモリーカードコネクターを装着した状態を示す携帯電話機の一例の斜視図である。
【図１５】  図１２に示す外部インターフェースコネクター及び図１３に示すメモリーカードコネクターを装着した状態を示す携帯電話機の他の例の斜視図である。
【図１６】  図１４及び図１５に示す携帯電話機の回路図である。
【符号の説明】
１ 外部インターフェースコネクター
２，３ 端子（外部信号受渡用接続部）
８ 携帯電話機
１４ メモリーカード
２９ 複合コネクター（複合コネクター構造）
３０  ケース
３１ ケース（メモリーカード収納ケース）
３２，３３ 端子（接続部）
３４ メモリーカード挿入検出スイッチ（接触子構造）
４３ バッテリー接続端子
４６ バッテリー電源回路供給スイッチ（接触子構造）
【図１】
0003919273.tif 000002
【図２】
0003919273.tif 000003
【図３】
0003919273.tif 000004
【図４】
0003919273.tif 000005
【図５】
0003919273.tif 000006
【図６】
0003919273.tif 000007
【図７】
0003919273.tif 000008
【図８】
0003919273.tif 000009
【図９】
0003919273.tif 000010
【図１０】
0003919273.tif 000011
【図１１】
0003919273.tif 000012
【図１２】
0003919273.tif 000013
【図１３】
0003919273.tif 000014
【図１４】
0003919273.tif 000015
【図１５】
0003919273.tif 000016
【図１６】
0003919273.tif 000017